(57)【要約】 【課題】ズームレンズを備えた撮影光学系が配備されている撮影装置であっても、撮影装置の大型化を抑えるとともに被写体によっては適時に光学ファインダが装着される撮影装置を具備した撮影システムを提供する。【解決手段】デジタルカメラ１０にフラッシュ装置に加えて光学ファインダ１１も装着することができる、複数の接点を有するアクセサリシュー１０１を設ける。光学ファインダ１１内に大抵のデジタルカメラが備える焦点距離範囲に対応するだけの変倍レンズ１１２と変倍レンズ１１２を駆動するモータＭとそのモータＭにデジタルカメラ１０が備えるモータ駆動ドライバ、さらに第１の接点１０１Ａ、第２の接点１１８Ａを経由して駆動信号を供給する。さらに第３の接点ＰＯＷＥＲ１、第４の接点ＰＯＷＥＲ２を経由して電力をモータＭに供給する。【選択図】図３
2007328156.tif 000002
【特許請求の範囲】
【請求項１】
変倍レンズが内蔵された光学ファインダ、および、該光学ファインダが着脱自在に装着されるファインダ装着部と焦点距離可変な撮影レンズとを備え撮影により画像データを生成する撮影装置を具備する撮影システムにおいて、
前記撮影装置が、前記ファインダ装着部に、前記ファインダ装着部に装着された光学ファインダとの間の情報伝達用の第１の接点を備えるとともに、該光学ファインダが、該ファインダ装着部に装着されたときに前記第１の接点に接する位置に前記撮影装置との間の情報伝達用の第２の接点を備え、
前記撮影装置が、前記第１の接点を経由して、前記ファインダ装着部に装着された光学ファインダに向けて前記撮影レンズの焦点距離情報もしくは画角情報を伝達する本体側情報伝達部を備え、
前記光学ファインダが、前記第２の接点を経由して前記撮影レンズから伝達されてきた焦点距離情報もしくは画角情報に基づいて、前記変倍レンズを、前記撮影レンズの画角に対応した画角に変倍させるファインダ駆動部を備えたことを特徴とする撮影システム。
【請求項２】
前記光学ファインダが、前記第２の接点を経由して前記撮影装置に向けて該光学ファインダの種別情報を伝達するファインダ側情報伝達部を備え、
前記撮影装置が、前記第１の接点を経由して伝達されてきた光学ファインダの種別情報に基づいて、前記ファインダ装着部に装着された光学ファインダが前記撮影レンズに適合する光学ファインダであるか否かを判定する適合判定部と、
前記適合判定部での前記撮影レンズに適合しない光学ファインダであることの判定結果受けて該判定結果を表示する表示部とを備えたことを特徴とする請求項１記載の撮影システム。
【請求項３】
前記ファインダ装着部が、該ファインダ装着部に装着された光学ファインダに電力を供給するための第３の接点を備えるとともに、前記光学ファインダが、前記ファインダ装着部に装着されたときに前記第３の接点に接する位置に前記撮影装置から電力の供給を受けるための第４の接点を備え、
前記ファインダ駆動部は、前記撮影装置から前記第４の接点を経由して受け取った電力により前記変倍レンズを変倍させるものであることを特徴とする請求項１記載の撮影システム。
【請求項４】
前記光学ファインダが内蔵バッテリを備え、前記ファインダ駆動部は、前記内蔵バッテリの電力により前記変倍レンズを変倍させるものであることを特徴とする請求項１記載の撮影システム。
【請求項５】
前記本体側情報伝達部は、前記撮影装置による撮影情報を前記光学ファインダに向けて伝達するものであって、
前記光学ファインダが、前記撮影情報をファインダ内に表示するファインダ内表示部を備えたことを特徴とする請求項１記載の撮影システム。
【請求項６】
前記撮影装置は、撮影枠を切り替える撮影枠切替部を備え、
前記本体側情報伝達部が、前記撮影枠切替部により切り替えられた撮影枠情報を前記光学ファインダに向けて伝達するものであって、
前記光学ファインダが、前記撮影枠に基づいて視野枠を切り替える視野枠切替部を備えたものであることを特徴とする請求項１記載の撮影システム。
【発明の詳細な説明】
【技術分野】
【０００１】
本発明は、変倍レンズが内蔵された光学ファインダ、および、その光学ファインダが着脱自在に装着されるファインダ装着部と焦点距離可変な撮影レンズとを備え、撮影により画像データを生成する撮影装置を具備する撮影システムに関する。
【背景技術】
【０００２】
最近のデジタルカメラにおいてはファインダを設けなくても表示画面をファインダとして用いることができるので、ファインダを省略した、いわゆるファインダレスのデジタルカメラが増えてきている。
【０００３】
しかし、この様なファインダレスのデジタルカメラにあっては、表示画面上に撮影光学系が捉えている被写体が表示されるとはいっても撮影光学系が捉えている被写体が信号処理分だけ時間遅れを伴って表示されるので、撮影光学系が捉えている被写体と表示画面上に表示されている被写体との間にタイムパララックスが生じてしまう。もしも被写体が移動体であったならば、表示画面上を見ながらシャッタチャンスにシャッタを押しても撮影したいと思った瞬間の被写体を撮影することができないことがある。
【０００４】
この問題を解決するためにはデジタルカメラ内に光学ファインダを設ければ良いが、そうすると大抵のデジタルカメラが備える焦点距離可変なズームレンズの焦点距離に応じてファインダの画角を変える、いわゆるズームファインダ（特許文献１、２、３参照）をデジタルカメラ内部に搭載しなければらならなくなってデジタルカメラが大型化してしまうという問題が出てくる。
【０００５】
上記特許文献の中の特許文献３のものの様に光学ファインダを着脱自在に装着することができる様にすれば、デジタルカメラが大型化することがなく、必要なときにだけ光学ファインダを装着して撮影を行なうことができる。
【０００６】
しかしながら特許文献３の技術は、撮影装置が備える撮影レンズのズーム倍率と同じ倍率を持つズームファインダを、水中撮影における視野の確保を目的として着脱自在に装着する技術であるため、その光学ファインダを他のデジタルカメラに装着するという訳にはいかない。もしもデジタルカメラが備える撮影レンズのズーム倍率にあわせて光学ファインダの倍率も自在に変えることができると便利である。
【特許文献１】特開平８−３２０５１３号公報
【特許文献２】特開２００１−１２５１７１号公報
【特許文献３】実公平６−０３１４６１号公報
【発明の開示】
【発明が解決しようとする課題】
【０００７】
本発明は、上記事情に鑑み、ズームレンズを備えた撮影レンズが配備されている撮影装置に、被写体によっては適時に光学ファインダが装着される撮影装置を具備した撮影システムを提供することを目的とする。
【課題を解決するための手段】
【０００８】
上記目的を達成する本発明の撮影システムは、変倍レンズが内蔵された光学ファインダ、および、その光学ファインダが着脱自在に装着されるファインダ装着部と焦点距離可変な撮影レンズとを備え、撮影により画像データを生成する撮影装置を具備する撮影システムにおいて、
上記撮影装置が、上記ファインダ装着部に、上記ファインダ装着部に装着された光学ファインダとの間の情報伝達用の第１の接点を備えるとともに、その光学ファインダが、そのファインダ装着部に装着されたときに上記第１の接点に接する位置に撮影装置との間の情報伝達用の第２の接点を備え、
上記撮影装置が、上記第１の接点を経由して、上記ファインダ装着部に装着された光学ファインダに向けて上記撮影レンズの焦点距離情報もしくは画角情報を伝達する本体側情報伝達部を備え、
上記光学ファインダが、上記第２の接点を経由して上記撮影レンズから伝達されてきた焦点距離情報もしくは画角情報に基づいて上記変倍レンズを、上記撮影レンズの画角に対応した画角に変倍させるファインダ駆動部を備えたことを特徴とする。
【０００９】
上記本発明の撮影システムによれば、上記したタイムパララックスが問題となる被写体の撮影が行なわれようとして上記ファインダ装着部に上記光学ファインダが装着されたときには、上記第１の接点と上記第２の接点を通して上記撮影装置から上記光学ファインダに焦点距離情報もしくは画角情報が伝達され、上記ファインダ駆動部によって上記変倍レンズが駆動され撮影レンズの画角に対応した画角に光学ファインダの画角が調節される。
【００１０】
例えば、上記光学ファインダの倍率を可能な限り大きくしておいて大抵のデジタルカメラに対応することができる様にし、さらにデジタルカメラ各々に上記ファインダ装着部を設ければ、上記光学ファインダとその光学ファインダが適時に装着される撮影装置とで構成される撮影システムが実現する。
【００１１】
以上説明した様に、ズームレンズを備えた撮影レンズが配備されている撮影装置に、被写体によって適時に光学ファインダが装着される撮影装置を具備した撮影システムが実現する。
【００１２】
ところで上記した様に大抵のデジタルカメラに対応することができる様に光学ファインダの倍率を可能な限り大きくしておいたとしてもすべてのデジタルカメラが備えるズームレンズのズーム倍率に光学ファインダの変倍値が必ずしも適合するとは限らない。
【００１３】
そこで、上記光学ファインダが、上記第２の接点を経由して上記撮影装置に向けてその光学ファインダの種別情報を伝達するファインダ側情報伝達部を備え、
上記撮影装置が、上記第１の接点を経由して伝達されてきた光学ファインダの種別情報に基づいて、上記ファインダ装着部に装着された光学ファインダが上記撮影レンズに適合する光学ファインダであるか否かを判定する適合判定部と、
上記適合判定部で前記撮影レンズに適合しない光学ファインダであることの判定結果を表示する表示部とを備えたものであると良い。
【００１４】
そうすると、上記光学ファインダが上記ファインダ装着部に装着されたときに光学ファインダの種別情報が上記第２の接点、上記第１の接点を通して上記撮影装置に伝達され上記適合判定部によって撮影レンズに適合する光学ファインダであるか否かが判定され、さらに上記表示部にその判定結果が表示されユーザに通知される。
【００１５】
こうしてユーザに向けて通知が行なわれると、撮影に備えて光学ファインダをアクセサリシューに装着したときにすぐに撮影レンズと光学ファインダとが適合しないということが分かり、他の光学ファインダを所持していれば適合する光学ファインダと装着したファインダとを交換することも、またタイムパララックスをある程度許容した上で表示画面を見ながらでの撮影を行なうこともできる。
【００１６】
また、上記ファインダ装着部が、そのファインダ装着部に装着された光学ファインダに電力を供給するための第３の接点を備るとともに、上記光学ファインダが、上記ファインダ装着部に装着されたときに上記第３の接点に接する位置に上記撮影装置から電力の供給を受けるための第４の接点を備え、
上記ファインダ駆動部は、上記撮影装置から上記第４の接点を経由して受け取った電力により上記変倍レンズを変倍させるものであることが好ましい。
【００１７】
そうすると、上記光学ファインダが電力供給源例えば電池を内蔵していなくても、上記ファインダ装着部に装着されたときに上記第３の接点と上記第４の接点を経由して撮影装置から受け取った電力を用いて上記光学ファインダが備える上記ファインダ駆動部によって上記変倍レンズを駆動することができるので、光学ファインダの小型化を図ることができる。
【００１８】
ただし、上記態様では光学ファインダが装着されたときに撮影装置が備える電池の電力消費量が多くなって電池の磨耗が激しくなってしまう恐れがある。
【００１９】
そこで上記光学ファインダが内蔵バッテリを備え、上記ファインダ駆動部は、上記内蔵バッテリの電力により上記変倍レンズを変倍させるものであると、撮影装置側の電池の電力が無駄に消費されることがなくなる。
【００２０】
また上記本体側情報伝達部は、上記撮影装置による撮影情報を上記光学ファインダに向けて伝達するものであって、
上記光学ファインダが、上記撮影情報をファインダ内に表示するファインダ内表示部を備えた態様であることが好ましい。
【００２１】
そうすると、ファインダ内に撮影情報が表示されるので、ユーザは表示画面を見て撮影するのと同じ様に撮影情報を確認しながら撮影を行なうことができる。
【００２２】
さらに、上記撮影装置は、撮影枠を切り替える撮影枠切替部を備え、
上記本体側情報伝達部が、上記撮影枠切替部により切り替えられた撮影枠情報を上記光学ファインダに向けて伝達するものであって、
上記光学ファインダが、上記撮影枠に基づいて視野枠を切り替える撮影枠切替部を備えたものであっても良い。
【００２３】
そうすると、デジタルカメラが例えばパノラマ撮影モード等の特殊撮影モードを有する場合にそのパノラマ撮影モードが操作により指定されたときにはそのパノラマサイズにあう様に上記撮影枠が撮像素子の前面に配置されその撮影枠に連動してファインダ内に視野枠が配置されパノラマサイズにあう視野にファインダ視野が調節される。
【発明の効果】
【００２４】
以上、説明したように、ズームレンズを備えた撮影光学系が配備されている撮影装置であっても、撮影装置の大型化を抑えるとともに被写体によっては適時に光学ファインダが装着される撮影装置を具備した撮影システムが実現する。
【発明を実施するための最良の形態】
【００２５】
以下、本発明の実施形態である撮影システムを説明する。
【００２６】
図１は、本発明にいうファインダ装着部に該当するアクセサリシュー１０１を備えたデジタルカメラ１０と、そのアクセサリシュー１０１に装着される光学ファインダ１１とを備えた撮影システム１を示す図である。
【００２７】
図１（ａ）には、アクセサリシュー１０１に装着された光学ファインダ１１とデジタルカメラ１０とを備えた撮影システムを正面斜め上方から見た図が示されており、図１（ｂ）には、アクセサリシュー１０１に光学ファインダ１１が装着される直前の撮影システムを正面斜め後方から見た図が示されている。また図１（ｃ）には、デジタルカメラ１０を背面斜め後方から見た図が示されている。
【００２８】
図１を参照してこの撮影システム１の構成を説明する。
【００２９】
図１（ａ）、図１（ｂ）に示す撮影システムにはデジタルカメラ１０とそのデジタルカメラに着脱自在に装着される光学ファインダ１１とが備えられている。
【００３０】
図１（ａ）、図１（ｂ）に示すデジタルカメラ１０には、ボディ中央にレンズ鏡胴１００が備えられていてそのレンズ鏡胴１００内には焦点距離可変なズームレンズを備えた撮影レンズが内蔵されている。そのデジタルカメラ１のボディ上面には光学ファインダ１１が着脱自在に装着されるアクセサリシュー１０１が設けられており、さらに図１（ｃ）に示すデジタルカメラの背面側にはファインダ用の表示画面やズームスイッチとしても動作する十字キー１０２１が備えられている。
【００３１】
また、光学ファインダ１１にはレンズ鏡胴１００に内蔵されている撮影レンズのズーム倍率を包含する倍率を持つ変倍レンズが内蔵されている。その変倍レンズが内蔵されている光学ファインダ１１には取付部１１８が設けられていてその取付部１１８がアクセサリシュー１０１に嵌め込まれる様にして光学ファインダ１１がデジタルカメラ１０に装着される。
【００３２】
この撮影システムを持つユーザは、表示画面１０３（図１（ｃ）参照）をファインダ代わりに用いることによってデジタルカメラのみによっても撮影を行なうことができ、またアクセサリシュー１０１に光学ファインダ１１を装着して撮影システムを構成すれば光学ファインダを通しての被写体の撮影を行なうこともできる。
【００３３】
例えば被写体が移動体であって前述のタイムパララックが問題となる様な場合には、図１（ｃ）に示す表示画面１０３の代わりに図１（ａ）に示す撮影システムを構成して撮影を行なえば良い。
【００３４】
なお本実施形態のデジタルカメラ１０が備えるアクセサリシュー１０１には不図示のフラッシュ装置も装着される様になっていて、アクセサリシュー１０１に外付けのフラッシュ装置が装着されそのフラッシュ装置からフラッシュが発光される様にもなっている。
【００３５】
ここでデジタルカメラ１０に装着される光学ファインダ１１の構造を説明しておく。
【００３６】
図２は、光学ファインダ１１の一例を示す図である。図２には、図１に示す形の光学ファインダ１１の対物レンズを正面から見て高さ方向の中央を幅方向に切断し切断した面を上から見た図が示されている。
【００３７】
図２を参照して光学ファインダ１１の内部の構造を説明する図である。
【００３８】
図２に示す光学ファインダ１１には接眼レンズ１１０と対物レンズ１１１を含むファインダ光学系が配備されていて、そのファインダ光学系内には図１に示すレンズ鏡胴１００内の撮影レンズの焦点距離に応じてファインダ画角をその焦点距離に応じた画角にするための変倍レンズ１１２が内蔵されている。
【００３９】
その変倍レンズ１１２をファインダ光軸に沿って移動させることができる様にするためにその変倍レンズ１１２を保持する保持枠１１３には、図２の左側外方へ突出する様にしてカムピン１１４が設けられており、そのカムピン１１４がボールネジのようなギアＢのギア溝に連結され、さらにそのギアＢの回転とともに回転するギアＡがモータＭのギアヘッドＨに連結されている。
【００４０】
このため何らかの手段でモータＭを回転させることができれば、そのモータＭの回転によりギアヘッドＨを回転させ、さらにそのギアヘッドＨの回転に応じてギアＡ、ギアＢを回転させることによりそのギアＢ上のギア溝に沿ってカムピン１１４を移動させることができる。つまり変倍レンズ１１２を光軸方向に移動させることができる。
【００４１】
ここで光学ファインダ１１内のモータＭをどのようにして回転させるかを図３を参照して説明する。
【００４２】
図３は、デジタルカメラ１０の内部の構成を示す図であって、特に光学ファインダ内のモータを駆動するのに必要な部分のみを抜粋した図である。
【００４３】
図３に示す様にデジタルカメラ１０の内部には、上記モータＭを駆動するためのモータ駆動ドライバ１０６が配備されている。このモータ駆動ドライバ１０６の動作は、カメラ制御ＩＣであるＣＰＵ１００によって制御され、そのＣＰＵ１００にはメモリ１０５からレンズ情報が予め与えられている。そのレンズ情報に基づいてＣＰＵ１００はズームレンズの焦点距離情報もしくは画角情報を認識し、十字キー１０２１（図１（ｃ）参照）の操作に応じて撮影レンズ内のズームレンズを駆動するとともにモータ駆動ドライバ１０６に指示してそのモータ駆動ドライバ１０６に光学ファインダ１１側のモータＭを駆動させている。
【００４４】
このときには、ＣＰＵ１００が、アクセサリシュー１０１に設けられている、本発明にいう第１の接点１０１Ａとその第１の接点１０１Ａに接する位置に設けられている、光学ファインダ１１側の第２の接点１１８Ａとの双方を経由して駆動信号をモータＭに供給させそのモータＭにファインダ光学系内の変倍レンズ１１２を駆動させている。
【００４５】
なお、図３に示す光学ファインダ１１は電池を内蔵していないため、デジタルカメラ１０が備える電池１０７からの電力供給を受けてモータＭを回転させている。
【００４６】
ここで、デジタルカメラ１０側から光学ファインダ側１１にどのようにして上記駆動信号が伝達されるか、また電源１０７である電池からの電力が供給されるかを説明する。
【００４７】
図４は、デジタルカメラ１０が備えるアクセサリシュー１０１に設けられている複数の接点、および、そのアクセサリシュー１０１に装着される光学ファインダ１１の取付部１１８に設けられている複数の接点を示す図である。図４（ａ）には、アクセサリシュー１０１に設けられている複数の接点が示されており、図４（ｂ）にはその図４（ａ）に示すアクセサリシュー１０１に取付部１１８が嵌め込まれる光学ファインダ１１が示されており、さらに図４（ｃ）には、図４（ｂ）に示す光学ファインダ１１の取付部１１８を下面側から見た図が示されている。
【００４８】
図４（ａ）に示す様にデジタルカメラ１０が備えるファインダ装着部であるアクセサリシュー１０１には、アクセサリシュー１０１に装着された光学ファインダ１１との間の情報伝達用の、本発明にいう第１の接点１０１Ａや電源（電池）１０７からの電力を光学ファインダに供給するための本発明にいう第３の接点に相当する接点ＰＯＷＥＲ１やその第３の接点ＰＯＷＥＲ１と対を成す接点ＧＮＤ１が配備されている。さらにこのアクセサリシュー１０１には、前述のフラッシュ装置が装着されたときにフラッシュ光の発光をレリーズタイミングに同期させるためのシンクロ接点ＳＹＮＣ１や予備の接点ＡＵＸ１も配備されている。
【００４９】
これに対し図４（ｂ）、図４（ｃ）に示す光学ファインダ１１の取付部１１８には、アクセサリシュー１０１の第１の接点１０１Ａに接する位置にデジタルカメラ１０との間の情報伝達用の、本発明にいう第２の接点１１８Ａが配備されている。また光学ファインダ１１の取付部１１８には、上記第３の接点である接点ＰＯＷＥＲ１に接する位置にその第３の接点を経由して供給されてきた電力を受けるための本発明にいう第４の接点ＰＯＷＥＲ２が配備され、そのＰＯＷＥＲ２と対を成す接点ＧＮＤ２も配備されている。またこの光学ファインダ１１の取付部１１８にもアクセサリシュー側の予備の接点ＡＵＸ１に接する位置に予備の接点ＡＵＸ２やシンクロ接点ＳＹＮＣ１に接する位置にシンクロ接点ＳＹＮＣ２が配備されている。
【００５０】
このため光学ファインダ１１がアクセサリシュー１０１に装着された状態にあるときには、図３に示すデジタルカメラ１０が備えるモータ駆動ドライバ１０６からアクセサリシュー内の第１の接点１０１Ａに接する第２の接点１１８Ａを経由して光学ファインダ１１内のモータＭに向けて撮影レンズの焦点距離情報もしくは画角情報に対応する駆動信号が伝達されその駆動信号に基づいて上記第３の接点と第４の接点を経由してデジタルカメラが備える電源１０７である電池から供給されてきた電力を受け取ったモータＭによって変倍レンズ１１２が駆動され撮影レンズの画角に応じたファインダ画角になる様に変倍レンズの位置が調節される。
【００５１】
図１〜図４に示す構成を持つ撮影システムによれば、撮影者は、表示画面１０３を見ながら撮影を行なうこともでき、また被写体によっては適時に光学ファインダ１１を装着して撮影を行なうこともできる。
【００５２】
以上説明した様に、ズームレンズを備えた撮影光学系が配備されている撮影装置であっても、撮影装置の大型化を抑えるとともに被写体によって適時に光学ファインダが装着される撮影装置を具備した撮影システムが実現する。
【００５３】
上記第１の実施形態では、大抵のデジタルカメラ１０が備えるズームレンズに対応することができる様に光学ファインダ１１の倍率を可能な限り大きくしておいて光学ファインダ１１がデジタルカメラ１０に装着されたときにデジタルカメラ１０側のドライバ１０６に光学ファインダ内のモータＭを駆動させる構成を示したが、光学ファインダ１１の変倍レンズの移動範囲がすべてのデジタルカメラが備えるズームレンズのズーム倍率に適合するとは限らない。また光学ファインダ１１内に撮影時の撮影情報が表示されないと、撮影するときの焦点距離やシャッタスピードや絞り値が撮影者によって正確に把握されずに場合によっては撮影に失敗することがある。また、デジタルカメラの電源１０７である電池から光学ファインダ１１に電力が供給される構成であると、デジタルカメラ１０側の電池の電力が必要以上に消耗してしまう可能性がある。
【００５４】
そこで、第２実施形態の撮影システムにおいては、光学ファインダの外形がやや大きくはなるものの、光学ファインダ内にＣＰＵとモータ駆動用のドライバと表示部とが実装された回路基板を搭載するとともに電池１２１を搭載して上記問題に対応することができる様にしている。
【００５５】
図５、図６、図７は、第２の実施形態を説明する図である。
【００５６】
図５には、撮影システム２が備える光学ファインダ１２内にＣＰＵ１２００とドライバ１２０１と表示部１２０２とが搭載された回路基板１２０と電池１２１が配備された場合の構成が示されている。また、図６にはその撮影システム２を構成するデジタルカメラ１０と光学ファインダ１２双方の内部構成が示されている。また、図７には、表示部１２０２が備える表示画面１２０２ａによってファインダ光学系の画枠内に撮影情報が表示された場合の例が示されている。
【００５７】
この第２の実施形態の撮影システム２においても、図４に示した複数の接点がアクセサリシュー１０１と光学ファインダ１２の取付部との双方に設けられている。ただし、光学ファインダ側に電池が配備されているので電力の供給が第３の接点ＰＯＷＥＲ１、第４の接点ＰＯＷＥＲ２を通しては行なわれなくなる。
【００５８】
図４（ａ）、図４（ｃ）に示す複数の接点のうち、第１の実施形態ではデジタルカメラ１０から光学ファインダ１１への情報伝達用の接点として用いられていた接点１０１Ａが、第２の実施形態では光学ファインダ１２からデジタルカメラ１０への情報伝達用の接点としても用いられている。また第２の実施形態の様に光学ファインダ１２にＣＰＵ１２００が搭載されるとなると、図４に示す第２の接点１０１Ａと第１の接点１１８Ａを通して変倍レンズのレンズ情報を光学ファインダ１２からデジタルカメラ１０に伝達することも可能になるので、光学ファインダの装着時にデジタルカメラ１０側のＣＰＵ１００が撮影レンズと光学ファインダ１２との間の適合性を判定することもできる様になる。
【００５９】
まず図５、図６を参照して構成を説明する。
【００６０】
図５、図６に示す様に、図２の構成に加えてＣＰＵ１２００とドライバ１２０１と表示部１２０２とが搭載された回路基板１２０が変倍レンズ１１２の周辺に配備されている。この回路基板１２０に搭載されている表示部１２０２が備える表示画面は接眼レンズ１１０を通してファインダ内が視認されたときに図７に示す様にファインダ画枠の下方にくるところに配備されている。またその回路基板１２０上のドライバ１２０１によってモータＭが駆動される。
【００６１】
この例では、光学ファインダ内のｆｉｎｄｅｒＣＰＵ１２００が、表示部１２０２が備える表示画面１２０２ａ上に撮影情報を表示することができる様にデジタルカメラ１０が備えるＣＰＵ１００から予備接点ＡＵＸ１、ＡＵＸ２を経由して伝達されてきた撮影情報を受け取ってその撮影情報を表わす画像を表示部１２０２に指示して表示画面１２０２ａ上に表示させている。この例では、図７に示す様に、表示画面１２０２ａ上に焦点距離やシャッタスピードや絞り値などが表示され、さらに感嘆符により警告表示などの表示も行なわれている。
【００６２】
また、図５，図６に示す構成であると、光学ファインダがｆｉｎｄｅｒＣＰＵ１２００を備えているため、そのｆｉｎｄｅｒＣＰＵ１２００がデジタルカメラ１０が備えるＣＰＵ１００から第１の接点１０１Ａおよび第２の接点１１８Ａを通して伝達されてくる撮影レンズの焦点距離情報もしくは画角情報を受け取ってその情報に応じた指示をドライバ１２０１に供給してドライバ１２０１にモータＭを駆動させ変倍レンズ１１２を光軸方向に移動させることによって撮影レンズの画角に応じた画角にファインダ光学系の画角を調節させることもできる。
【００６３】
さらに本実施形態においては、光学ファインダがｆｉｎｄｅｒＣＰＵ１２００を備えているのでデジタルカメラ１０内のＣＰＵ１００が光学ファインダ１２が装着されたときにそのｆｉｎｄｅｒＣＰＵ１２００から第２の接点１１８Ａ、第１の接点１０１Ａを経由して光学ファインダから伝達されてきたときにそのファインダの種別情報を受け取って撮影レンズと光学ファインダの適合性を判定し判定結果を図１（ｃ）に示す表示画面上に表示することもできる。
【００６４】
こうして光学ファインダ１２がデジタルカメラ１０に装着されたときにＣＰＵ１００がデジタルカメラが備える撮影レンズと、装着された光学ファインダ１２とが適合しないと判定したときにはその判定結果を図１（ｃ）に示す表示画面１０３上に表示することができるため、その表示を見たユーザが、撮影レンズに適合しない光学ファインダを見ながらの撮影を行なうことがなくなる。また、その表示を見たユーザが、別の光学ファインダを持っていればその光学ファインダに取り替えて撮影を行なうことも、またタイムパララックスが生じることを承知の上で光学ファインダを用いずに表示画面をファインダとして用いて撮影を行なうこともできる。
【００６５】
ところで例えばデジタルカメラの中にはパノラマ撮影モードを有しているものもある。デジタルカメラがパノラマ撮影モードを有している場合には、撮像素子の前面に撮影枠が配備されてアスペクト調整が行なわれることがある。
【００６６】
図８は、パノラマ撮影モードが選択されたときの撮影枠と視野枠との関係を説明する図である。
【００６７】
図８（ａ）には、パノラマ撮影モードが指定されたときに撮像素子１００Ｂの前面に進出する撮影枠１００Ａが示されており、図８（ｂ）にはその撮影枠１００Ａに連動して光学ファインダ１２内の接眼レンズ１１０付近に進出する視野枠１１０Ａが示されている。また図８（ｃ）には、この例で視野枠１１０Ａとして用いられる液晶アレイとその液晶アレイのドライバ１１０１Ａの配置が示されている。
【００６８】
この第２の実施形態では、光学ファインダ１２内にもｆｉｎｄｅｒＣＰＵ１２００が配備されているので、視野枠１１０Ａとして機能させることが可能な液晶アレイを液晶アレイドライバ１１０１Ａとともに光学ファインダ内に組み込んでｆｉｎｄｅｒＣＰＵ１２００が、デジタルカメラ側のＣＰＵ１００から接点１０１Ａ、接点１１８Ａ又は接点ＡＵＸ１、ＡＵＸ２を経由して伝達されてきた撮影枠の情報を受け取って液晶アレイドライバ１１０１Ａに指示して液晶アレイの透過範囲を可変させファインダの視野枠１１０Ａの縦横比を変更することができる様にしている。
【００６９】
なお、撮影枠も視野枠と同様に液晶アレイを用いたものであっても良く、また双方共に縦横比を調節するための調節板を上下に設けてそれらの板をパノラマ撮影モードが指定されたときに撮影面内や視野範囲内に進出させる構成であっても良い。
【００７０】
この様に変倍レンズを移動させるだけでなく撮影枠の縦横比の変更に応じて視野枠の縦横比を変更することができる様にしておくとなお良い。
【図面の簡単な説明】
【００７１】
【図１】本発明にいうファインダ装着部に該当するアクセサリシュー１０１を備えたデジタルカメラ１０と、そのアクセサリシュー１０１に装着される光学ファインダ１１とを備えた撮影システム１を示す図である。
【図２】光学ファインダ１１の一例を示す図である。
【図３】デジタルカメラ１０の内部の構成を示す図であって、特に光学ファインダ内のモータを駆動するのに必要な部分のみを抜粋した図である。
【図４】デジタルカメラ１０が備えるアクセサリシュー１０１に設けられている複数の接点、および、そのアクセサリシュー１０１に装着される光学ファインダ１１の取付部１１８に設けられている複数の接点を示す図である。
【図５】第２の実施形態を説明する図である。
【図６】第２の実施形態を説明する図である。
【図７】第２の実施形態を説明する図である。
【図８】パノラマ撮影モードが選択されたときの撮影枠と視野枠との関係を説明する図である。
【符号の説明】
【００７２】
１  ２    撮影システム
１０    デジタルカメラ
１００    レンズ鏡胴
１０１    アクセサリシュー
１０１Ａ  ＡＵＸ１  ＰＯＷＥＲ１  ＧＮＤ１    接点
１０２    レリーズボタン
１１  １２    光学ファインダ
１１１    対物レンズ
１１２    変倍レンズ
１１３    レンズ保持枠
１１４    カムピン
１１８    取付部
１１８Ａ  ＡＵＸ２  ＰＯＷＥＲ２  ＧＮＤ２    接点
Ａ  Ｂ  Ｈ    ギア
Ｍ    モータ
１２０    回路基板
１２００    ｆｉｎｄｅｒＣＰＵ
１２０１    ドライバ
１２０２    表示部
【図１】
2007328156.tif 000003
【図２】
2007328156.tif 000004
【図３】
2007328156.tif 000005
【図４】
2007328156.tif 000006
【図５】
2007328156.tif 000007
【図６】
2007328156.tif 000008
【図７】
2007328156.tif 000009
【図８】
2007328156.tif 000010